(57)【要約】【課題】従来の画像読み取り装置は、外部電力の遮断時には電力供給が行われないため、光源を点灯できない。そのため、画像読み取り装置を夜間停電時の非常灯として使用できない。【解決手段】画像読み取り装置１０は、主電源部２１と、補助電源部２２と、原稿読み取り台１５と、原稿押え部１６と、原稿Ｇを照射する光源部２４と、原稿Ｇから画像データを読み取る画像読み取り部２５と、原稿押え部１６の開閉を検知し、検知結果を出力する開閉検知部１７と、外部電力遮断検知部３０とを備えている。特に、外部電力遮断検知部３０は、停電等の外部電力ＰＳ０の供給が遮断されたことを検知し、開閉検知部１７の検知結果が開状態の時に、光源部２４を点灯させる。これにより、画像読み取り装置１０は、外部電力ＰＳ０の供給が遮断された時に原稿押さえ部１７を開けることにより、夜間外部電力遮断時に、光源部２４を点灯させて照明として使用できる。【選択図】図１
2013121148.tif 000002
【特許請求の範囲】
【請求項１】
外部電力を受電して所定の第１の駆動電力を出力する主電源部と、
前記第１の駆動電力が供給されている時に、前記第１の駆動電力を蓄電する蓄電部を有し、前記第１の駆動電力の供給が遮断された時には、前記蓄電部から第２の駆動電力を出力する補助電源部と、
原稿を載置する原稿読み取り台と、
前記原稿読み取り台に開閉自在に取り付けられ、前記原稿読み取り台に載置された原稿を押える原稿押え部と、
前記原稿押え部により押えられた前記原稿を照射する光源部と、
照射された前記原稿からの反射光を受光して画像データを出力する画像読み取り部と、
前記原稿押え部の開閉状態を検知し、前記検知結果を出力する開閉検知部と、
前記外部電力の供給が遮断されたことを検知し、前記検知結果が開状態の時に、入力された前記第２の駆動電力を出力して前記光源部を点灯させる外部電力遮断検知部と、
を備えたことを特徴とする画像読み取り装置。
【請求項２】
前記主電源部は、更に、
前記外部電力の入力を入り切りするスイッチを有し、
前記外部電力遮断検知部は、
前記スイッチが入り状態の時のみ前記光源部を点灯させることを特徴とする請求項１記載の画像読み取り装置。
【請求項３】
請求項１又は２記載の画像読み取り装置は、更に、
前記外部電力が供給されている時に、前記画像読み取り装置の動作状態を逐次記憶する動作状態記憶部と、
前記動作状態に対応した報知内容が記憶された表示内容格納部と、
前記外部電力の供給が遮断された時に、前記動作状態を前記動作状態記憶部から取得し、取得した前記動作状態に対応した前記報知内容を前記表示内容格納部から読み出す報知内容読み出し手段と、
前記報知内容読み出し手段により読み出された前記報知内容を表示する表示手段と、
を備えたことを特徴とする画像読み取り装置。
【請求項４】
前記外部電力の供給が遮断された時に、前記第２の駆動電力を外部に出力する出力ポート部を備えたことを特徴とする請求項１〜３のいずれか１項記載の画像読み取り装置。
【請求項５】
前記光源部は、
冷陰極管又は発光ダイオードにより構成されていることを特徴とする請求項１〜４のいずれか１項記載の画像読み取り装置。
【請求項６】
前記蓄電部は、
二次電池又は電気二重層キャパシタにより構成されていることを特徴とする請求項１〜５のいずれか１項記載の画像読み取り装置。
【請求項７】
原稿を読み取って画像データを出力する画像読み取り装置と、読み取られた前記画像データを記録媒体に形成する画像形成部と、を備えた画像形成装置であって、
前記画像読み取り装置は、
外部電力を受電して所定の第１の駆動電力を出力する主電源部と、
前記第１の駆動電力が供給されている時に、前記第１の駆動電力を蓄電する蓄電部を有し、前記第１の駆動電力の供給が遮断された時には、前記蓄電部から第２の駆動電力を出力する補助電源部と、
原稿を載置する原稿読み取り台と、
前記原稿読み取り台に開閉自在に取り付けられ、前記原稿読み取り台に載置された原稿を押える原稿押え部と、
前記原稿押え部により押えられた前記原稿を照射する光源部と、
照射された前記原稿からの反射光を受光して画像データを出力する画像読み取り部と、
前記原稿押え部の開閉状態を検知し、前記検知結果を出力する開閉検知部と、
前記外部電力の供給が遮断されたことを検知し、前記検知結果が開状態の時に、入力された前記第２の駆動電力を出力して前記光源部を点灯させる外部電力遮断検知部と、
を備えたことを特徴とする画像形成装置。
【発明の詳細な説明】
【技術分野】
【０００１】
本発明は、画像読み取り装置及び画像形成装置に関し、特に、これら装置に設けられた光源部を、停電等の外部電力の遮断時に非常灯として利用する技術に関するものである。
【背景技術】
【０００２】
従来、例えば、特許文献１には、複合機、ファクシミリ等に代表される画像読み取り装置及び画像形成装置において、原稿置き台に載置された原稿に対して光源部から光を照射して画像を読み取ることが記載されている。
【先行技術文献】
【特許文献】
【０００３】
【特許文献１】特開２０００−２６１６２４号公報
【発明の概要】
【発明が解決しようとする課題】
【０００４】
しかしながら、従来の画像読み取り装置及び画像形成装置では、外部電力の供給が遮断された時に、光源部へ電力供給が行われないため、画像読み取り装置及び画像形成装置の画像読み取り用の光源部を夜間照明又は非常灯として利用できない。
【課題を解決するための手段】
【０００５】
本発明の内の第１の発明の画像読み取り装置は、外部電力を受電して所定の第１の駆動電力を出力する主電源部と、前記第１の駆動電力が供給されている時に、前記第１の駆動電力を蓄電する蓄電部を有し、前記第１の駆動電力の供給が遮断された時には、前記蓄電部から第２の駆動電力を出力する補助電源部と、原稿を載置する原稿読み取り台と、前記原稿読み取り台に開閉自在に取り付けられ、前記原稿読み取り台に載置された原稿を押える原稿押え部と、前記原稿押え部により押えられた前記原稿を照射する光源部と、照射された前記原稿からの反射光を受光して画像データを出力する画像読み取り部と、前記原稿押え部の開閉状態を検知し、前記検知結果を出力する開閉検知部と、前記外部電力の供給が遮断されたことを検知し、前記検知結果が開状態の時に、入力された前記第２の駆動電力を出力して前記光源部を点灯させる外部電力遮断検知部と、を備えたことを特徴とする。
【０００６】
第２の発明の画像形成装置は、原稿を読み取って画像データを出力する前記第１の発明の画像読み取り装置と、読み取られた前記画像データを記録媒体に形成する画像形成部とを備えたことを特徴とする。
【発明の効果】
【０００７】
本発明の画像読み取り装置及び画像形成装置によれば、外部電力の供給が遮断された時に原稿押え部を開けることにより、本来使用時にのみ点灯する光源部を点灯させるようにしている。これにより、外部電力の供給が遮断された時に、光源部へ電力供給が行われるため、画像読み取り装置及び画像形成装置の画像読み取り用の光源部を夜間照明又は非常灯として利用できる。
【図面の簡単な説明】
【０００８】
【図１】図１は図２中の画像読み取り装置１０の概略の構成を示すブロック図である。
【図２】図２は本実施例１における画像形成装置１の全体を示す外観図である。
【図３】図３は図２中の画像読み取り装置１０の主要部分を示す断面図である。
【図４】図４は図１中の外部電力遮断検知部３０の構成例を示す回路図である。
【図５】図５は図４中の光源点灯回路３２における光源部２４の点灯に関する制御論理の例を示す図である。
【図６】図６は本実施例２の画像読み取り装置１０Ａの概略の構成を示すブロック図である。
【図７】図７は図６中のスイッチ５１の構成例を示す回路図である。
【図８】図８は図６中の外部電力遮断検知部３０Ａの構成例を示す回路図である。
【図９】図９は図８中の光源点灯回路３２Ａにおける光源部２４の点灯に関する制御論理の例を示す図である。
【図１０】図１０は本実施例３における画像形成装置１Ｂの全体を示す外観図である。
【図１１】図１１は図１０中の画像読み取り装置１０Ｂの概略の構成を示すブロック図である。
【図１２】図１２は図１１中の外部電力遮断検知部３０Ｂの構成例を示す回路図である。
【図１３】図１３は図１１中の操作部１２Ｂ内の機能構成を示すブロック図である。
【図１４】図１４は図１２中のＵＳＢポート部６０の構成例を示す回路図である。
【図１５】図１５は図１３中の動作状態記憶部６１における格納情報の例を示す図である。
【図１６】図１６は図１３中の表示内容格納部６２に格納されている報知内容の例を示す図である。
【図１７】図１７は図１３中の表示パネル１３における表示例を示す図である。
【図１８】図１６は図１３中のメイン制御部３Ｂにおける処理を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図２は、本発明の実施例１における画像形成装置１の全体を示す外観図である。
【００１１】
図２において、本実施例１の画像形成装置１は、例えば、ＭＦＰ（Multi  Function  Peripheral）、複合機、ファクシミリ装置等であって、画像データを紙等の記録媒体に形成する画像形成部２を有している。画像形成部２は、例えば、プリンタ等により構成され、この上には、原稿Ｇから画像データを読み取る画像読み取り装置１０が設けられている。画像読み取り装置１０は、筐体１１を有している。筐体１１の前面には、操作部１２が設けられている。操作部１２は、例えば、液晶（ＬＣＤ）パネル等からなる表示パネル１３と、入力部１４とを有している。表示パネル１３は、ユーザに対する指示メニューや取得した画像に関する情報等の表示を行うものである。入力部１４は、ユーザの操作による各種の指示や、文字・数字等のデータの入力を受け付けるものである。筐体１１の上部には、原稿読み取り台１５が設けられている。原稿読み取り台１５は、原稿を載置するためのガラス板等の透光性の平板により構成されている。
【００１２】
原稿読み取り台１５に載置された原稿Ｇを押える原稿押え部１６が、原稿読み取り台１５に開閉自在に取り付けられている。原稿読み取り台１５の近傍には、原稿押え部１６の開閉状態を検知して、その検知結果を出力する開閉検知部１７が設けられている。原稿押え部１６の上には、自動原稿給送装置１８が載置されている。自動原稿給送装置１８は、原稿載置部１８ａと、自動読み取り部１８ｂと、排出部１８ｃとを有し、原稿載置部１８ａに載置された原稿Ｇを自動読み取り部１８ｂへ導き、読み取られた原稿Ｇを排出部１８ｃへ排出する機能を有している。原稿読み取り台１５の内部には、原稿Ｇを照射する光源部２４が設けられている。
【００１３】
図３は、図２中の画像読み取り装置１０の主要部分を示す断面図である。
原稿読み取り装置１０は、原稿読み取り台１５を備えている。原稿読み取り台１５の上には、原稿Ｇが載置され、原稿押え部１６により原稿Ｇが押えられている。原稿読み取り台１５の下方には、原稿Ｇに光を照射する光源部２４と、照射された原稿Ｇからの反射光を受光して画像データを光電的に読み取って出力する画像読み取り部２５とが設けられている。
【００１４】
光源部２４は、原稿読み取り時に点灯して原稿Ｇを照射するものである。光源部２４は、冷陰極管（Cold  Cathode  Fluorescent  Lamp（CCFL））と呼ばれる蛍光ランプや、発光ダイオード（Light  Emitting  Diode（LED））等により構成されている。冷陰極管は、交流（ＡＣ）電力の供給により点灯する。発光ダーオードは、直流（ＤＣ）電力の供給により点灯する。光源部２４が冷陰極管であり、供給電力がＤＣ電力の場合は、インバータ等のＤＣ／ＡＣ変換装置を内蔵している。
【００１５】
画像読み取り部２５は、電荷結合素子（ＣＣＤ）イメージセンサ等により構成されている。原稿押え部１６により押えられた原稿Ｇを読み取る際に、光源部２４と画像読み取り部２５とが一体的に原稿Ｇの下方を、図３の矢印で示すように、左から右へ移動して、原稿Ｇから画像データを読み取る。自動原稿給送装置１８の原稿載置台１８ａに載置された原稿Ｇを、自動給送して自動読み取り部１８ｂにて画像データを読み取る際に、光源部２４と画像読み取り部２５とは、自動読み取り部１８ｂに対応する左端の固定位置で、画像データを読み取る。
【００１６】
図１は、図２中の画像読み取り装置１０の概略の構成を示すブロック図である。
図１において、破線矢印は通常時の電力供給ルート、太線矢印は外部電力遮断時の電力供給ルート、細線矢印は状態検出のための信号の流れを示している。
【００１７】
メイン制御部３は、画像形成部２及び画像読み取り装置１０を制御するものであり、メイン制御部３が設けられている画像形成部２の上に、画像読み取り装置１０が設けられている。
【００１８】
画像読み取り装置１０は、主電源部２１と、補助電源部２２と、開閉検知部１７と、スキャナ制御部２３と、光源部２４と、画像読み取り部２５と、を有している。
【００１９】
主電源部２１は、電源コンセント２１ａを介して、外部電源２０から外部電力ＰＳ０を受電して複数の所定の第１の駆動電力ＰＳ１（＝ＰＳ１ａ，ＰＳ１ｂ，ＰＳ１ｃ，ＰＳ１ｄ，ＰＳ１ｅ）を出力する機能を有している。外部電源２０は、例えば、ＡＣ１００Ｖ又は２００Ｖの商用電源である。主電源部２１は、外部電力ＰＳ０が入力されると、補助電源部２２へ駆動電力（例えば、ＤＣ電圧）ＰＳ１ａを出力し、スキャナ制御部２３へ駆動電力（例えば、ＤＣ電圧）ＰＳ１ｂを出力し、光源部２４へ駆動電力ＰＳ１ｃを出力し、画像読み取り部２５へ駆動電力ＰＳ１ｄを出力し、メイン制御部３へ駆動電力ＰＳ１ｅを出力する。駆動電力ＰＳ１ａ、駆動電力ＰＳ１ｂ、駆動電力ＰＳ１ｃ、駆動電力ＰＳ１ｄ及び駆動電力ＰＳ１ｅは、供給する各部に合ったＤＣ又はＡＣの電圧に変換された電力である。更に、主電源部２１は、外部電源２０から外部電力が供給されているか否かを示す電源ライブ信号Ｓ２１をスキャナ制御部２３へ出力する機能を有している。
【００２０】
補助電源部２２は、充電部２２ａと、蓄電部２２ｂとを有している。補助電源部２２は、主電源部２１から駆動電力ＰＳ１が供給されている時に、駆動電力ＰＳ１ａを充電部２２ａにより蓄電部２２ｂへ蓄電し、駆動電力ＰＳ１の供給が遮断された時には、蓄電部２２ｂに蓄電されている電気化学エネルギー又は電気エネルギーを第２の駆動電力ＰＳ２としてスキャナ制御部２３へ出力するものである。充電部２２ａは、蓄電部２２ｂの充電量を検知する機能を有し、蓄電部２２ｂの充電量に応じた充電動作を行い、蓄電部２２ｂが満充電になった場合は充電動作を停止する機能を有している。蓄電部２２ｂは、例えば、二次電池、電気二重層キャパシタ等により構成されている。二次電池は、例えば、ニッケルカドニウム電池、リチウムイオン電池、ニッケル水素電池等である。蓄電部２２ｂとして二次電池を用いると、停電時や電源コンセント２１ａの引き抜き時等により、外部電力ＰＳ０の供給が遮断された時に、補助電源部２２を補助電源として数時間使用することができる。蓄電部２２ｂとして電気二重層キャパシタを用いると、外部電力ＰＳ０の供給が遮断された時に補助電源として使用できる時間は短くなるが、電気二重層キャパシタは二次電池に較べて小型で長寿命であるため、メンテナンスフリーにすることができる。
【００２１】
開閉検知部１７は、例えば、マイクロスイッチ等により構成され、原稿押え部１６の開閉状態を検知し、検知結果をスキャナオープン信号Ｓ１７としてスキャナ制御部２３へ出力する機能を有している。
【００２２】
スキャナ制御部２３は、原稿読み取り時に光源部２４を点灯させ、画像読み取り部２５を制御して原稿Ｇから画像データを読み取る機能を有している。スキャナ制御部２３内には、外部電力遮断検知部３０が設けられている。
【００２３】
外部電力遮断検知部３０は、主電源部２１から入力される電源ライブ信号Ｓ２１を受信し、外部電力ＰＳ０の供給が遮断されたことを検知すると、主電源部２１から供給されていた駆動電力ＰＳ１ｂから、補助電源部２２内の蓄電部２２ｂから出力される駆動電力ＰＳ２に切り替える機能を有している。又、外部電力遮断検知部３０は、開閉検知部１７から入力されるスキャナオープン信号Ｓ１７に基づいて原稿押え部１６の開閉状態を判定する機能を有している。更に、外部電力遮断検知部３０は、電源ライブ信号Ｓ２１とスキャナオープン信号Ｓ１７との論理レベルの組合せ条件により、駆動電力ＰＳ２を光源部２４へ出力する機能を有している。
【００２４】
図４は、図１中の外部電力遮断検知部３０の構成例を示す回路図である。
開閉検知部１７は、例えば、マイクロスイッチ１７ａ等で構成されている。マイクロスイッチ１７ａは、２つの端子１７ａ１，１７ａ２を有し、一方の端子１７ａ１は抵抗３３を介してＤＣ電圧Ｖｋにプルアップ接続され、他方の端子１７ａ２はアースに接続されている。開閉検知部１７は、マイクロスイッチ１７ａの一方の端子１７ａ１から外部電力遮断検知部３０にスキャナオープン信号Ｓ１７を出力する機能を有している。原稿押え部１６が閉状態のとき、マイクロスイッチ１７ａの両端子１７ａ１，１７ａ２の間は遮断されており、端子１７ａ１はＤＣ電圧Ｖｋによるプルアップにより、ハイレベル（以下「“Ｈ”」という。）のスキャナオープン信号Ｓ１７を外部電力遮断部３０へ出力する。原稿押え部１６が開状態のとき、マイクロスイッチ１７ａの両端子１７ａ１，１７ａ２の間は接続されており、端子１７ａ１はアースに接続されているので、ローレベル（以下「“Ｌ”」という。）のスキャナオープン信号Ｓ１７を外部電力遮断部３０へ出力する。
【００２５】
外部電力遮断検知部３０は、例えば、ダイオード３１と、光源点灯回路３２、抵抗３３と、ダイオード４０とを有している。ダイオード３１は、アノードが蓄電部２２ｂから駆動電力ＰＳ２が入力される端子に接続され、カソードが主電源部２１から駆動電力ＰＳ１ｂが入力される端子に接続されている。ダイオード３１は、外部電力ＰＳ０が供給されている時は逆方向バイアスがかかるためオフ状態であり、外部電力ＰＳ０の供給が遮断された時は順方向バイアスがかかるためオン状態となる。ダイオード３１は、外部電力ＰＳ０の供給が遮断された時にオン状態となり、蓄電部２２ｂが出力する駆動電力ＰＳ２を光源点灯回路３２へ供給する機能を有している。
【００２６】
光源点灯回路３２は、例えば、論理積ゲート３４と、複数の抵抗３５，３６，３７と、ＮＰＮトランジスタ３８と、ＰＮＰトランジスタ３９とから構成されている。論理積ゲート３４は、電源ライブ信号Ｓ２１とスキャナオープン信号Ｓ１７とが入力され、これらの入力信号が共に“Ｌ”のとき、Ｈ”の論理積信号を出力する。複数の抵抗３５，３６，３７及びＮＰＮトランジスタ３８は、論理ゲート３４の出力する論理積信号の論理レベルを反転し、ＰＮＰトランジスタ３９のベースに出力するものである。ＰＮＰトランジスタ３９は、ベースの論理レベルが“Ｌ”のとき、オン状態となり、ダイオード４０を介して、光源部２４へ駆動電力ＰＳ２を出力する機能を有している。
【００２７】
（実施例１の通常動作）
図５は、図４中の光源点灯回路３２における光源部２４の点灯に関する制御論理の例を示す図である。
【００２８】
図１〜図３において、画像形成装置１は、外部電力ＰＳ０が供給されると、動作を開始する。画像形成装置１は、原稿読み取り台１５の上に原稿Ｇを載置し、原稿押え部１６を閉じられ、操作部１２からの命令を受けると、光源部２４を点灯させる。スキャナ制御部２３は、光源部２４を点灯させ、画像読み取り部２５は、原稿Ｇからの反射光から画像データを読み取り、読み取った画像データを画像形成部２へ出力する。画像形成部２は、入力された画像データを記録媒体に形成する。
【００２９】
主電源部２１から、補助電源部２２、スキャナ制御部２３、光源部２４、画像読み取り部２５、及びメイン制御部３に、複数の駆動電力ＰＳ１がそれぞれ供給される。補助電源部２２は、充電部２２ａにより、駆動電力ＰＳ１ａを蓄電部２２ｂに充電する。外部電力ＰＳ０が供給されている時は、図４のダイオード３１がオフ状態であるので、外部電力遮断検知部３０は、駆動電力ＰＳ２を光源部２４へ出力しない。図５において、外部電力ＰＳ０の供給がされている時には、電源ライブ信号Ｓ２１は、“Ｈ”であり、この場合に、原稿押え部１６の開閉状態、即ち、スキャナオープン信号Ｓ１７の論理レベルが“Ｈ”の場合も“Ｌ”の場合も、第２の駆動電力は出力されず、光源部２４は点灯しない。
【００３０】
（実施例１の外部電力遮断時の動作）
図１において、外部電力ＰＳ０の供給が遮断された時に、主電源部２１から補助電源部２２、スキャナ制御部２３、光源部２４、画像読み取り部２５、及びメイン制御部３に、駆動電力ＰＳ１が供給されない。
【００３１】
図４において、外部電力ＰＳ０の供給が遮断された時、主電源部２１が出力する駆動電力ＰＳ１ｂのＤＣ電圧≒０Ｖとなるので、ダイオード３１には順方向バイアスがかかってオン状態となり、蓄電部２２ｂから駆動電力ＰＳ２のＤＣ電圧がダイオード３１を介して外部電力遮断検知部３０へ供給される。
【００３２】
図５において、外部電力ＰＳ０の供給が遮断された時に、電源ライブ信号Ｓ２１は、“Ｌ”であり、この場合に、原稿押え部１６の開閉状態が開状態の時、即ち、スキャナオープン信号Ｓ１７の論理レベルが“Ｌ”の場合に、外部電力遮断検知部３０から駆動電力ＰＳ２が出力され、光源部２４は、照明用又は非常灯として点灯する。
【００３３】
（実施例１の効果）
本実施例１によれば、以下の（ａ）〜（ｃ）のような効果がある。
【００３４】
（ａ）  画像読み取り装置１０及び画像形成装置１は、外部電力ＰＳ０の供給が遮断された時に原稿押え部１６を開けることにより、本来画像読み取り時にのみ点灯する光源部２４を点灯させる。これにより、画像読み取り装置１０及び画像形成装置１は、夜間停電時の照明として使用できる。この場合、暗闇での安全確保や、灯りによる不安感の低減に役立つ。
【００３５】
（ｂ）  非常用照明の設置基準対象外の施設において、画像読み取り装置１０及び画像形成装置１を非常灯として利用することができる。この場合、避難や救助活動に役立つ。
【００３６】
（ｃ）  外部電力ＰＳ０の供給が遮断された時などの非常時以外において、画像読み取り装置１０及び画像形成装置１は、原稿押え部１６を開けたとき、光源部２４が光るか否かによって外部電源２０に関する異常を通知することができる。これにより、電源コンセント２１ａからの抜けや装置側の電源コードの抜けなどを知ることができる。
【実施例２】
【００３７】
（実施例２の構成）
図６は、本発明の実施例２の画像読み取り装置１０Ａの概略の構成を示すブロック図であり、実施例１を示す図１中の要素と共通の要素には共通の符号が付されている。
【００３８】
本実施例２では、実施例１の主電源部２１及び外部電力遮断検知部３０とは構成及び機能の異なる主電源部２１Ａ及び外部電力遮断検知３０Ａを有している。実施例２の他の構成は、実施例１の構成を同じである。
【００３９】
主電源部２１Ａは、実施例１の主電源部２１にスイッチ５１が追加されている。スイッチ５１は、外部電源２０から供給される外部電力ＰＳ０の入力の入り切りと、この外部電力ＰＳ０の入力の入り切りと連動した信号のオンオフを行う電気回路の開閉部品である。
【００４０】
外部電力遮断検知部３０Ａは、実施例１の外部電力遮断検知部３０における光源部２４の点灯条件に、スイッチオン信号Ｓ５２が追加されている。実施例２の外部電力遮断検知部３０Ａのその他の構成は、実施例１の外部電力遮断検知部３０の構成と同様である。
【００４１】
図７は、図６中のスイッチ５１の構成例を示す回路図である。
スイッチ５１は、例えば、多連シーソスイッチであり、２つで一組のＡＣ用スイッチ５１ａと、１つの信号用スイッチ５１ｂとから構成されている。ＡＣ用スイッチ５１ａは、２つのスイッチで一組となっており、同時にオンオフし、このＡＣ用スイッチ５１ａに連動して、１つの信号用スイッチ５１ｂがオンオフするようになっている。
【００４２】
図８は、図６中の外部電力遮断検知部３０Ａの構成例を示す回路図であり、実施例１を示す図４中の要素と共通の要素には共通の符号が付されている。
【００４３】
実施例２の主電源部２１Ａは、実施例１の主電源部２１に、スイッチ５１と、スイッチ状態検出部５２とが追加されている。スイッチ状態検出部５２は、信号用スイッチ５１ｂを含んでいる。信号用スイッチ５１ｂは、図７に示されたように、ＡＣ用スイッチ５１ａのオンオフと連動してオンオフする。信号用スイッチ５１ｂは、２つの端子５１ｂ１，５１ｂ２を有し、一方の端子５１ｂ１はＤＣ電圧ＶＫにプルアップ接続され、他方の端子５１ｂ２は、抵抗５３を介してアースに接続されている。スイッチ検出部５２は、ＡＣ用スイッチ５１ａがオンされると、ＡＣ用スイッチ５１ａに連動して信号用スイッチ５２ｂがオン状態となり、ＤＣ電圧Ｖｋによりプルアップされ、スイッチオン信号Ｓ５２として、“Ｈ”を外部電力遮断検知部３０Ａに出力する。一方、ＡＣスイッチ５１ａがオフのときは、信用用スイッチ５１ｂがオフ状態となり、端子５１ｂ２が抵抗５３を介してプルダウン接続されているので、端子５１ｂ２からスイッチオン信号Ｓ５２として、“Ｌ”を外部電圧遮断検知部３０Ａに出力する。
【００４４】
実施例２の光源点灯回路３２Ａは、実施例１の光源点灯回路３２における論理積ゲート３４に替えて、３入力の論理積ゲート５４を有している。論理積ゲート５４は、電源ライブ信号Ｓ２１が“Ｌ”、スイッチオン信号Ｓ５２が“Ｈ”、スキャナオープン信号Ｓ１７が“Ｌ”のときのみ、“Ｈ”を出力する。電源ライブ信号Ｓ２１、スイッチオン信号Ｓ５２及びスキャナオープン信号Ｓ１７の論理レベルの組合せが、他の組合せの場合は、論理積ゲート５４は、“Ｌ”を出力する。
【００４５】
蓄電部２２ｂから出力される駆動電力ＰＳ２のＤＣ電圧で動作する外部電力遮断検知部３０Ａの光源点灯回路３２Ａは、電源ライブ信号Ｓ２１と、開閉検知部１７のスキャナオープン信号Ｓ１７と、新たに追加されたスイッチ状態検出部５２のスイッチオン信号Ｓ５２との論理レベルの組合せ条件を判断し、光源部２４へ駆動電力ＰＳ２を供給する。光源部２４は、駆動電力ＰＳ２の供給を受けると発光する。光源点灯回路３２Ａのその他の構成は、実施例１の光源点灯回路３２と同様である。
【００４６】
（実施例２の通常動作）
図９は、図６中の光源点灯回路３２Ａにおける光源部２４の点灯に関する制御論理の例を示す図である。
【００４７】
図６において、外部電力ＰＳ０が主電源部２１Ａに供給されているおり、スイッチ５１がオン状態の時は、主電源部２１Ａから補助電源部２２、スキャナ制御部２３Ａ、光源部２４、画像読み取り部２５及びメイン制御部３に複数の駆動電力ＰＳ１が供給される。この場合の画像読み取り装置１０Ａ及び画像形成装置１Ａの動作は、実施例１の画像読み取り装置１０及び画像形成装置１の動作と同様である。
【００４８】
外部電力ＰＳ０が主電源部２１Ａに供給されているおり、スイッチ５１がオフ状態の時は、主電源部２１Ａから補助電源部２２、スキャナ制御部２３Ａ、光源部２４、画像読み取り部２５及びメイン制御部３に駆動電力ＰＳ１が供給されない。この場合、画像読み取り装置１０Ａ及び画像形成装置１Ａは、一部の内部メモリ等を除いた全ての機能が停止されている動作停止状態である。
【００４９】
図８において、外部電源２０からの主電源部２１Ａへの外部電力ＰＳ０の供給が遮断されており、スイッチ５１がオン状態の時は、主電源部２１Ａから外部電力遮断検知部３０Ａへ、電源ライブ信号Ｓ２１“Ｌ”と、スイッチオン信号Ｓ５２“Ｈ”とが入力される。
【００５０】
このとき、原稿押え部１６が開かれると、開閉検知部１７からスキャナオープン信号Ｓ１７“Ｌ”が入力され、外部電力遮断検知回路３０Ａ内の光源点灯回路３２Ａ内の論理積ゲート５４に、電源ライブ信号Ｓ２１“Ｌ”と、スイッチオン信号Ｓ５２“Ｈ”と、スキャナオープン信号Ｓ１７“Ｌ”とが入力され、論理積ゲート５４は、“Ｈ”を出力する。論理ゲート５４は、“Ｈ”の信号を出力すると、ＰＮＰトランジスタ３９のベースが“Ｌ”となるので、ＰＮＰトランジスタ３９がオン状態となり、ダイオード４０を介して駆動電力ＰＳ２が光源部２４に供給され、光源部２４が照明又は非常灯として点灯する。
【００５１】
実施例１の光源点灯回路３２では、外部電力の供給が遮断された時に、原稿押え部１６を開けば常に光源部２４が点灯するようにしていたが、本実施例２の光源点灯回路３２Ａでは、光源部２４の点灯条件に、スイッチオン信号Ｓ５２の論理レベルが追加されている。
【００５２】
図９において、外部電力ＰＳ０の供給が遮断されて電源ライブ信号Ｓ２１が“Ｌ”であり、スイッチオン信号Ｓ５２が“Ｈ”であり、スキャナオープン信号Ｓ１７が“Ｌ”の時、外部電力遮断検知部３０Ａは、第２の駆動電力を光源部２４へ出力し、光源部２４は点灯する。電源ライブ信号Ｓ２１、スイッチオン信号Ｓ５２、スキャナオープン信号Ｓ１７の論理レベルの組合せがその他の場合には、外部電力遮断検知部３０Ａから光源部２４へ第２の駆動電力は供給されず、光源部２４が点灯しない。
【００５３】
外部電力ＰＳ０の供給が遮断されており、スイッチ５１がオフ状態の場合、原稿押え部１６の開閉状態に拘わらず、外部電力遮断検知部１７から光源部２４へ駆動電力ＰＳ２が供給さない。この場合は、原稿押え部１６を開いた状態で、スイッチ５１をオフ状態からオン状態へ切り替えると、外部電力遮断検知部３０Ａは、光源部２４へ駆動電力ＰＳ２を供給し、光源部２４が点灯する。
【００５４】
（実施例２の効果）
本実施例２によれば、実施例１と同様の効果に加え、以下のような効果がある。
【００５５】
（ａ）  画像読み取り装置１０Ａ及び画像形成装置１Ｂによれば、スイッチ５１と、スイッチ状態検出部５２とが追加されている。これにより、スイッチ状態検出部５２のスイッチオン信号Ｓ５２により、利用者が画像読み取り装置１０Ａ及び画像形成装置１Ａの使用状態又は使用する意思がある状態の場合のみ、原稿押え部１６を開状態にすることによって、光源部２４を点灯させることができる。そのため、装置設置や保守時に誤って光源部２４を点灯させたり、回路ショートなどで装置を故障させたりすることを防止できる。
【００５６】
（ｂ）  スイッチ５１がオフの状態で、外部電力ＰＳ０の供給が遮断された場合、原稿押え部１６を開状態にしたまま、スイッチ５１をオンにすることで、光源部２４を点灯させることができる。これにより、画像読み取り装置１０Ａ及び画像形成装置１Ａを、夜間時の非常用の照明として使用することができる。
【実施例３】
【００５７】
（実施例３の構成）
図１０は、実施例３における画像形成装置１Ｂの全体を示す外観図であり、実施例１を示す図２中の要素と共通の要素には共通の符号が付されている。
【００５８】
図１０において、本実施例３の操作部１２Ｂには、実施例１の操作部１２と同様の表示パネル１３及び入力部１４に、出力ポート部（以下「ＵＳＢポート部」という。）６０が追加されている。画像形成装置１Ｂのその他の外観は、実施例１の画像形成装置１の外観と同様である。ＵＳＢポート部６０は、外部電力ＰＳ０の供給がされている時は、利用者が、画像形成装置１Ｂ内に格納した画像データを印刷したり、画像読み取り装置１０Ｂで読み取った画像データをＵＳＢポート部６０経由でＵＳＢメモリ等の外部メモリへ格納したりするために用いられるものである。又、ＵＳＢポート部６０は、外部電力ＰＳ０の供給が遮断された時に、画像読み取り装置１０Ｂ又は画像形成装置１Ｂの外部へ駆動電力ＰＳ２を出力する外部電源端子としての機能を有している。
【００５９】
図１１は、図１０中の画像読み取り装置１０Ｂの概略の構成を示すブロック図であり、実施例１を示す図１中の要素と共通の要素には共通の符号が付されている。
【００６０】
図１１において、操作部１２Ｂは、外部電力がＰＳ０供給されている時、画像読み取り装置１０Ｂの動作状態を表示したり、利用者が画像読み取り装置１０Ｂに動作の指示をしたりするために用いられる。実施例１及び２の外部電力遮断検知部３０，３０Ａは、外部電力の供給が遮断された時に、補助電源部２２からの第２の駆動電力を操作部１２に供給しなかった。これに対して、本実施例３の外部電力遮断検知部３０Ｂでは、外部電力ＰＳ０の供給が遮断された時に、補助電源部２２から操作部１２Ｂへ駆動電力ＰＳ２を供給している。更に、操作部１２Ｂは、ＵＳＢポート部６０を有している。
【００６１】
図１２は、図１１中の外部電力遮断検知部３０Ｂの構成路例を示す回路図であり、実施例１を示す図４中の要素と共通の要素には共通の符号が付されている。
【００６２】
図１２において、本実施例３の外部電力遮断検知部３０Ｂは、実施例１の外部電力遮断検知部３０におけるダイオード３１のカソードのＤＣ電圧Ｖｋが、操作部１２Ｂへ直接供給されている。外部電力遮断検知部３０Ｂのその他の構成は、実施例１を示す図４の外部電力遮断検知部３０と同様である。
【００６３】
図１３は、図１１中の操作部１２Ｂ内の機能構成を示すブロック図である。
図１３において、操作部１２Ｂは、実施例１の操作部１２と同様の表示パネル１３及び入力部１４に、ＵＳＢポート部６０、動作状態記憶部６１、表示内容格納部６２及びマイクロプロセッサユニット（Micro  Processing  Unit（ＭＰＵ））６３が追加されている。
【００６４】
動作状態記憶部６１は、外部電力ＰＳ０が供給されている時に、画像読み取り装置１０Ｂ又は画像形成装置１Ｂの動作状態を逐次記憶する機能を有している。動作状態記憶部６１は、記憶デバイスとして、例えば、ＦＬＡＳＨメモリやＥＥＰＲＯＭ等の不揮発性メモリにより構成されている。表示内容格納部６２は、画像読み取り装置１０Ｂ又は画像形成装置１Ｂの動作状態に対応した報知内容を予め記憶しておく機能を有している。
【００６５】
ＭＰＵ６３は、外部電力ＰＳ０の供給が遮断された時に、直前の動作状態を動作状態記憶部６１から取得し、取得した動作状態に対応した報知内容を表示内容格納部６２から読み出す機能を有している。表示パネル１３は、ＭＰＵ６３により読み出された報知内容を表示するものである。メイン制御部３Ｂは、実施例１のメイン制御部３に、動作状態が変化する度に動作状態記憶部６１へ動作状態を記憶する機能が追加されている。
【００６６】
図１４は、図１２中のＵＳＢポート部６０の構成例を示す回路図である。
操作部１２Ｂ内のＵＳＢポート部６０は、入出力端子Ｐ１〜Ｐ４を有している。入出力端子Ｐ１〜Ｐ４は、外部電力が供給されている時に動作する通常動作時回路７０と接続されている。入出力端子Ｐ１は電源端子、入出力端子Ｐ２はデータ端子Ｄ−、入出力端子Ｐ３はデータ端子Ｄ＋、入出力端子Ｐ４はアース端子である。外部電力ＰＳ０が供給されている時には、通常動作時回路７０から、入出力端子Ｐ１の電源端子を介してＵＳＢポート６０へ駆動電力が供給され、入出力端子Ｐ２及びＰ３のデータ端子Ｄ−及びＤ＋を介して装置外部との画像データ等のデータの入出力が行われる。入出力端子Ｐ４のアース端子は、通常動作時回路７０と共通アースとなっている。
【００６７】
図１４において、外部電力ＰＳ０が供給されている時には、通常動作時回路４０からダイオード６０ａを介してＵＳＢポート部６０の入出力端子Ｐ１へ駆動電力ＰＳ７０が供給され、ＵＳＢポート部６０は、画像データ等のデータの入出力ポートとして機能する。一方、外部電力ＰＳ０の供給が遮断された時には、外部電力遮断検知部３０Ｂから、ダイオード６０ｂを介して入出力端子Ｐ１へ補助電源部２２から駆動電力ＰＳ２が供給される。外部電力ＰＳ０の供給が遮断された時には、ダイオード６０ａは逆方向電圧が加わり、オフ状態となるので、通常動作時回路７０には、駆動電力ＰＳ２は供給されず、保護される。外部電力ＰＳ０の供給が遮断された時に、ＵＳＢポート部６０は、外部へ駆動電力ＰＳ２を取り出すことができ、例えば、携帯電話の充電用の電源等として使用することができる。
【００６８】
図１５は、図１３中の動作状態記憶部６１における格納情報の例を示す図である。
動作状態記憶部６１は、例えば、８ビット（ｂｉｔ）構成であり、ｂｉｔ０〜２の３ｂｉｔに動作状態６１ｂを表す情報が格納され、ｂｉｔ４〜６の３ｂｉｔにジョブ種別６１ａを表す情報が格納されている。動作状態６１ｂを表す情報としては、例えば、０００：処理完了、００１：原稿読み取り中、０１０：給紙中、０１１：定着中、１００：排紙中、１０１：温度調整中がある。ジョブ種別６１ａを表す情報としては、例えば、０００：待機、００１：原稿読み取り、０１０：コピー、０１１：印刷、１００：ＦＡＸ受信、１０１：ＦＡＸ送信がある。
【００６９】
図１６は、図１３中の表示内容格納部６２に格納されている報知内容の例を示す図である。
ジョブ種別６１ａと動作状態６１ｂに対応した報知内容が図１６に示されている。利用者は、予め、ジョブ種別６１ａと動作状態６１ｂに対応した報知内容を編集又は選択して、表示内容格納部６２に格納しておく。
【００７０】
図１６のＮＯ．１では、例えば、ジョブ種別６１ａが０１１：印刷であり、動作状態６１ｂが０１１：定着中である場合、「印刷中に停電したため、停電復帰後は紙を取り除いてください」という報知内容が、表示内容格納部６２に格納されている。
【００７１】
ＮＯ．２では、例えば、ジョブ種別６１ａが０１０：コピーであり、動作状態６１ｂが０１１：定着中である場合、「コピー中に停電したため、停電復帰後は紙を取り除いてください」という報知内容が、表示内容格納部６２に格納されている。
【００７２】
ＮＯ．３では、例えば、ジョブ種別６１ａが１０１：ＦＡＸ送信であり、動作状態６１ｂが００１：原稿読み取り中である場合、「ＦＡＸ送信中に停電したため、停電復帰後ＦＡＸを送り直してください」という報知内容が、表示内容格納部６２に格納されている。
【００７３】
ＮＯ．４では、例えば、ジョブ種別６１ａが１００：ＦＡＸ受信であり、動作状態６１ｂが０１１：定着中である場合、「ＦＡＸ受信中に停電したため、停電復帰後ＦＡＸ枚数を確認してください」という報知内容が、表示内容格納部６２に格納されている。
【００７４】
図１７は、図１３中の表示パネル１３における表示例を示す図である。
図１６のＮＯ．１に対応する表示パネル１３の表示例が図１７に示されている。
【００７５】
図１７に示された表示例では、表示パターン７１「停電しています」、表示パターン７２「・原稿押さえを開けるとランプが点灯します」、表示パターン７３「・ＵＳＢポートから携帯電話が充電できます」、及び表示パターン７４「印刷中に停電したため、停電復帰後に紙を取り除いてください」といった４種類の表示パターンが示されている。
【００７６】
（実施例３の動作）
図１８は、図１３中のメイン制御部３Ｂにおける処理を示すフローチャートである。
【００７７】
図１３を参照しつつ、図１８のフローチャートについて説明する。
外部電力ＰＳ０が供給されている時に、メイン制御部３Ｂは、利用者からの操作指示を受けると、ステップＳ１へ進む。ステップＳ１において、メイン制御部３Ｂは、動作状態記憶部６１に、ジョブ種別６１ａを書き込むと共に、指示された処理を開始し、ステップＳ２へ進む。ジョブ種別６１ａの種類及びジョブ種別６１ａの格納箇所については、例えば、図１５に示されている。ステップＳ２において、メイン制御部３Ｂは、ジョブの一連の処理の過程で、予め決められた動作状態６１ｂに入る度に、動作状態６１ｂを動作状態記憶部６１に逐次書き込み、ステップＳ３へ進む。例えば、ジョブ種別６１ａが０１０：コピーである場合、動作状態６１ｂは、００１：原稿読み取り中→０１０：給紙中→０１１：定着中→１００：排紙中と、遷移する。
【００７８】
ステップＳ３において、メイン制御部３Ｂは、ジョブの一連の処理が完了したか否かを判断し、完了していなければ（Ｎｏ）、ステップＳ２へ戻り、ジョブの一連の処理が完了したと判断されるまで、ステップＳ２及びステップＳ３の処理を繰り返す。ステップＳ３において、メイン制御部３Ｂが、ジョブの一連の処理が完了したと判断したとき（Ｙｅｓ）、ステップＳ４へ進む。ステップＳ４において、メイン制御部３Ｂは、ジョブの処理を実行し、メイン制御部３Ｂの処理を終了する。
【００７９】
図１３において、外部電力ＰＳ０の供給が遮断すると、主電源部２１から外部電力遮断検知部３０Ｂを含む全ての回路へ複数の駆動電力ＰＳ１の供給が無くなるが、外部電力遮断検知部３０Ｂは、補助電源部２２からの駆動電力ＰＳ２の供給により、操作部１２Ｂへ駆動電力ＰＳ２を供給する。操作部１２Ｂへ補助電源部２２からの駆動電力ＰＳ２が供給されると、操作部１２Ｂ内のＭＰＵ６３は、主電源部２１からの電源ライブ信号Ｓ２１の“Ｌ”を検知して、外部電力ＰＳ０の供給が遮断された時の動作を実行する。
【００８０】
ＭＰＵ６３は、動作状態記憶部６１から画像読み取り装置１０Ｂ又は画像形成装置１Ｂの直前のジョブ種別６１ａ及び動作状態６１ｂを取得する。続いて、ＭＰＵ６３は、取得したジョブ種別６１ａ及び動作状態６１ｂに対応したユーザへの報知内容を、表示内容格納部６２から読み出す。「印刷中に停電したため、停電復帰後は紙を取り除いてください」というジョブ種別６１ａ及び動作状態６１ｂに対応したユーザへの報知内容が、図１７の表示例に示されている。
【００８１】
（実施例３の効果）
本実施例３によれば、実施例１及び２の効果に加え、以下のような効果がある。
【００８２】
（ａ）  外部電力ＰＳ０の供給が遮断した時に、停電中であることを表示パネル１３に出力するようにしている。これにより、停電であることを利用者に報知することができる。
【００８３】
（ｂ）  外部電力ＰＳ０の供給が遮断した時に、動作状態６１ｂに対応した報知内容を表示内容格納部６２から読み出して表示パネル１３に出力する。これにより、停電復帰後にどのような対応が必要かを利用者に報知することができる。
【００８４】
（ｃ）  外部電力ＰＳ０の供給が遮断した時に、補助電源部２２から駆動電力ＰＳ２をＵＳＢポート部６０へ供給するようにしている。これにより、外部電力ＰＳ０の供給が遮断した時に、携帯電話、携帯端末等の充電用としてＵＳＢポート部６０を使用することができる。
【００８５】
（変形例）
本発明は、上記実施例１〜３に限定されず、種々の利用形態や変形が可能である。この利用形態や変形例として、例えば、次の（１）〜（６）のようなものがある。
【００８６】
（１）  実施例１〜３では、外部電源２０として、ＡＣ１００Ｖ又は２００Ｖの商用電源を念頭において説明したが、外部電源２０は、商用電源に限定されない。外部電力が供給されている時に、補助電源部２２へ電力を蓄え、外部電力の供給が遮断された時に、補助電源部２２に蓄えておいた電力を駆動電力として光源部２４を点灯させる構成であれば良い。外部電源２０は、例えば、ＤＣ電源であっても良い。
【００８７】
（２）  実施例１〜３では、光源部２４の位置については、特に言及しなかったが、外部電力の供給が遮断した時からの時間経過とともに、光源部２４の位置を移動しても良い。このようにすれば、光源部２４の位置により、外部電力の供給が遮断した時からの時間経過をユーザに知らせることができる。
【００８８】
（３）  実施例１〜３では、室内の明るさの検出については言及しなかったが、室内の明るさを検出し、外部電力の供給が遮断した時に光源部２４を点灯する条件に、室内の明るさを加えるようにしても良い。このようにすれば、外部電力の供給が遮断した時の夜間のみ非常用の照明として光源部２４を点灯することができ、充分な照度のある昼間に、光源部２４を点灯する必要がなく、蓄電部２２ｂの補助電源としての使用時間を延ばすことができる。
【００８９】
（４）  実施例１〜３では、画像読み取り装置１０，１０Ａ，１０Ｂは、画像形成部２の上に設けられているとして説明したが、画像読み取り装置１０，１０Ａ，１０Ｂは、画像形成部２と分離した構成であっても良い。この場合は、メイン制御部３は、画像読み取り装置１０，１０Ａ，１０Ｂ内に設けられるか、スキャナ制御部２３，２３Ａ，２３Ｂがメイン制御部３の機能を有するようにすれば良い。
【００９０】
（５）  実施例３では、利用者への停電中の報知する手段として表示パネル１３を用いた例を説明したが、報知する手段としては、表示パネル１３に限定されない。利用者へ停電中の報知する手段として、例えば、音声メッセージやブザー等を用いることもできる。
【００９１】
（６）  実施例３では、外部電力の供給が遮断した時に第２の駆動電力を出力する出力ポートとして、ＵＳＢポート部６０を設けた例を説明したが、出力ポートとして、ＵＳＢインタフェースに限定されない。出力ポートとして、ＵＳＢインタフェース以外の汎用インタフェースを用いても良い。
【符号の説明】
【００９２】
１，１Ａ，１Ｂ        画像形成装置
２        画像形成部
１０，１０Ａ，１０Ｂ        画像読み取り装置
１２，１２Ｂ        操作部
１３        表示パネル
１５        原稿読み取り台
１６        原稿押え部
１７        開閉検知部
１７ａ        マイクロスイッチ
２０        外部電源（交流電源）
２１，２１Ａ，２１Ｂ        主電源部
２２        補助電源部
２２ａ        充電部
２２ｂ        蓄電部
２３，２３Ａ，２３Ｂ        スキャナ制御部
２４        光源部
２５        画像読み取り部
３０，３０Ａ，３０Ｂ        外部電力遮断検知部
３２,３２Ａ，３２Ｂ        光源点灯回路
５１        スイッチ
５１ａ        ＡＣ用スイッチ
５１ｂ        信号用スイッチ
５２        スイッチ状態検出部
６０        ＵＳＢポート部
６１        動作状態記憶部
６２        表示内容格納部
６３        ＭＰＵ
【図１】
2013121148.tif 000003
【図２】
2013121148.tif 000004
【図３】
2013121148.tif 000005
【図４】
2013121148.tif 000006
【図５】
2013121148.tif 000007
【図６】
2013121148.tif 000008
【図７】
2013121148.tif 000009
【図８】
2013121148.tif 000010
【図９】
2013121148.tif 000011
【図１０】
2013121148.tif 000012
【図１１】
2013121148.tif 000013
【図１２】
2013121148.tif 000014
【図１３】
2013121148.tif 000015
【図１４】
2013121148.tif 000016
【図１５】
2013121148.tif 000017
【図１６】
2013121148.tif 000018
【図１７】
2013121148.tif 000019
【図１８】
2013121148.tif 000020